(57)【要約】【課題】送信電力が大きい場合のＴＤＤ通信の通信品質を向上できる通信装置を提供する。【解決手段】増幅部と増幅部の前段に配置された前置歪補償部とを含む送信部と、空中線により受信された無線信号を復調する受信部と、空中線及び送信部の接続と空中線及び受信部の接続とを切り替える空中線切替部と、通信タイミングに応じて、前置歪補償部と空中線切替部による接続の切り替えとを制御する制御部と、を備え、制御部は、送信タイミングでは第１の増幅部における利得成分及び位相成分の少なくとも一方の非線形特性を打ち消すよう、前置歪補償部における利得成分及び位相成分の少なくとも一方の非線形特性を制御し、受信タイミングでは増幅部の利得が低下するよう、前置歪補償部を制御する。【選択図】図２
2014204372.tif 000002
【特許請求の範囲】
【請求項１】
時分割複信方式により通信する通信装置であって、
送信信号を増幅する第１の増幅部と、前記第１の増幅部の前段に配置された前置歪補償部と、を含む送信部と、
空中線により受信された無線信号を復調する受信部と、
前記空中線及び前記送信部の接続と前記空中線及び前記受信部の接続とを切り替える空中線切替部と、
通信タイミングに応じて、前記前置歪補償部と前記空中線切替部による接続の切り替えとを制御する制御部と、
を備え、
前記制御部は、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する通信装置。
【請求項２】
請求項１に記載の通信装置であって、
前記前置歪補償部では、前記送信信号の通過経路に対して直列に非線形素子が配置され、
前記制御部は、前記送信タイミングでは、前記非線形素子が非線形領域において動作する第１の電圧を前記非線形素子に供給し、前記受信タイミングでは、前記非線形素子がオフ状態となる第２の電圧を前記非線形素子に供給するよう制御する通信装置。
【請求項３】
請求項１に記載の通信装置であって、
前記前置歪補償部では、前記送信信号の通過経路とバイパスコンデンサとの間に、非線形素子が配置され、
前記制御部は、前記送信タイミングでは、前記非線形素子が非線形領域において動作する第３の電圧を前記非線形素子に供給し、前記受信タイミングでは、前記非線形素子がショート状態となる第４の電圧を前記非線形素子に供給するよう制御する通信装置。
【請求項４】
請求項１ないし３のいずれか１項に記載の通信装置であって、
前記送信部は、前記前置歪補償部の前段に配置され、入力された信号を増幅する第２の増幅部を備える通信装置。
【請求項５】
時分割複信方式により通信する通信基地局であって、
送信信号を増幅する第１の増幅部と、前記第１の増幅部の前段に配置された前置歪補償部と、を含む送信部と、
空中線により受信された無線信号を復調する受信部と、
前記空中線及び前記送信部の接続と前記空中線及び前記受信部の接続とを切り替える空中線切替部と、
通信タイミングに応じて、前記前置歪補償部と前記空中線切替部による接続の切り替えとを制御する制御部と、
を備え、
前記制御部は、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する通信基地局。
【請求項６】
請求項５に記載の通信基地局であって、
前記前置歪補償部では、前記送信信号の通過経路に対して直列に非線形素子が配置され、
前記制御部は、前記送信タイミングでは、前記非線形素子が非線形領域において動作する第１の電圧を前記非線形素子に供給し、前記受信タイミングでは、前記非線形素子がオフ状態となる第２の電圧を前記非線形素子に供給するよう制御する通信基地局。
【請求項７】
請求項５に記載の通信基地局であって、
前記前置歪補償部では、前記送信信号の通過経路とバイパスコンデンサとの間に、非線形素子が配置され、
前記制御部は、前記送信タイミングでは、前記非線形素子が非線形領域において動作する第３の電圧を前記非線形素子に供給し、前記受信タイミングでは、前記非線形素子がショート状態となる第４の電圧を前記非線形素子に供給するよう制御する通信基地局。
【請求項８】
請求項５ないし７のいずれか１項に記載の通信基地局であって、
前記送信部は、前記前置歪補償部の前段に配置され、入力された信号を増幅する第２の増幅部を備える通信基地局。
【請求項９】
時分割複信方式により通信する通信装置における制御方法であって、
送信部の第１の増幅部により送信信号を増幅する第１の増幅ステップと、前記送信部の前置歪補償部により前記増幅前に前記送信信号に対して歪補償する歪補償ステップと、を含む送信ステップと、
受信部により、空中線により受信された無線信号を復調する受信ステップと、
空中線及び前記送信部の接続と前記空中線及び前記受信部の接続とを切り替える切替ステップと、
通信タイミングに応じて、前記歪補償ステップにおける動作と前記切替ステップにおける接続の切り替えとを制御する制御ステップと、
を有し、
前記制御ステップでは、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する制御方法。
【請求項１０】
請求項９に記載の制御方法であって、
前記前置歪補償部では、前記送信信号の通過経路に対して直列に非線形素子が配置され、
前記制御ステップでは、前記送信タイミングにおいて、前記非線形素子が非線形領域において動作する第１の電圧を前記非線形素子に供給し、前記受信タイミングにおいて、前記非線形素子がオフ状態となる第２の電圧を前記非線形素子に供給するよう制御する制御方法。
【請求項１１】
請求項９に記載の制御方法であって、
前記前置歪補償部では、前記送信信号の通過経路とバイパスコンデンサとの間に、非線形素子が配置され、
前記制御ステップでは、前記送信タイミングにおいて、前記非線形素子が非線形領域において動作する第３の電圧を前記非線形素子に供給し、前記受信タイミングにおいて、前記非線形素子がショート状態となる第４の電圧を前記非線形素子に供給するよう制御する制御方法。
【請求項１２】
請求項９ないし１１のいずれか１項に記載の制御方法であって、
前記送信ステップは、前記前置歪補償部の前段に配置された第２の増幅部に入力された信号を増幅する第２の増幅ステップを有する制御方法。
【発明の詳細な説明】
【技術分野】
【０００１】
本開示は、通信装置、通信基地局、及び制御方法に関する。
【背景技術】
【０００２】
従来、無線通信において使用される時分割複信（ＴＤＤ：Ｔｉｍｅ  Ｄｉｖｉｓｉｏｎ  Ｄｕｐｌｅｘ）方式により通信するＴＤＤ通信装置が知られている。ＴＤＤ通信方式は、複数の通信装置間において同一搬送波周波数を使用して時分割により相互に送受信する方式であり、各通信装置において送信周波数と受信周波数とを等しくできる。送信周波数と受信周波数とを等しくすることにより、無線周波数を有効活用できる。
【０００３】
従来のＴＤＤ通信装置として、例えば特許文献１のＴＤＤ通信装置が開示されている。特許文献に記載されたＴＤＤ通信装置では、ミキサ側ＲＦ入出力端と送信波増幅器の入力側との間、及びミキサ側入出力端と受信波増幅器の出力側との間に、伝送線路を挿入接続する。また、このＴＤＤ通信装置では、送信波増幅器の出力側とアンテナ接続端との間、及び受信波増幅器の入力側とアンテナ接続端との間に、伝送線路を挿入接続する。これらの伝送線路は、非動作増幅器側を見た負荷インピーダンスを、線路特性インピーダンスＺｏよりも高める電気長の線路である。また、このＴＤＤ通信装置は、送受信系において１つのミキサを共用する。
【０００４】
また、従来のＴＤＤ通信装置に用いられるスイッチとして、例えば特許文献２の信号切替スイッチが開示されている。特許文献２に開示された信号切替スイッチは、半導体素子がスイッチング素子として用いられたスイッチ回路と、各入出力端子と、を備える。入出力端子は、アンテナ用入出力端子（ＡＮＴ端子）、送信用入出力端子（ＴＸ端子）、及び受信用入出力端子（ＲＸ端子）、を含む。スイッチ回路は、各入出力端子を互いに接続し、又は切り離す。各入出力端子とスイッチ回路との間には、各インピーダンス変換回路が設けられる。スイッチ回路からインピーダンス変換回路を見たインピーダンスは、各入出力端子から外部回路を見たインピーダンスより小さく設計される。
【先行技術文献】
【特許文献】
【０００５】
【特許文献１】特開平９−０５５６８１号公報
【特許文献２】特開平１０−０９３４７１号公報
【発明の概要】
【発明が解決しようとする課題】
【０００６】
特許文献１，２の技術では、送信電力が大きい場合、ＴＤＤ通信の通信品質が低下することがあった。
【０００７】
本開示は、上記事情に鑑みてなされたものであり、送信電力が大きい場合のＴＤＤ通信の通信品質を向上できる通信装置、通信基地局、及び制御方法を提供する。
【課題を解決するための手段】
【０００８】
本開示の通信装置は、時分割複信方式により通信する通信装置であって、送信信号を増幅する第１の増幅部と、前記第１の増幅部の前段に配置された前置歪補償部と、を含む送信部と、空中線により受信された無線信号を復調する受信部と、前記空中線及び前記送信部の接続と前記空中線及び前記受信部の接続とを切り替える空中線切替部と、通信タイミングに応じて、前記前置歪補償部と前記空中線切替部による接続の切り替えとを制御する制御部と、を備え、前記制御部は、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する。
【発明の効果】
【０００９】
本開示によれば、送信電力が大きい場合のＴＤＤ通信の通信品質を向上できる。
【図面の簡単な説明】
【００１０】
【図１】実施形態における通信基地局の構成例を示すブロック図
【図２】実施形態におけるＴＤＤ通信装置の第１構成例を示すブロック図
【図３】実施形態におけるＴＤＤ通信装置の第２構成例を示すブロック図
【図４】実施形態におけるＴＤＤ通信装置の各部における信号レベルの変化例を示す模式図
【図５】実施形態における前置歪補償部の第１構成例を示す回路図
【図６】実施形態における前置歪補償部の第２構成例を示す回路図
【図７】実施形態におけるダイオードのＩＶ特性上における各状態の一例を示す模式図
【図８】特許文献１に開示された一般的なＴＤＤ通信装置の構成を示す模式図
【図９】特許文献２に開示された空中線切替部の構成を示す回路図
【発明を実施するための形態】
【００１１】
以下、本開示の実施形態について、図面を用いて説明する。
【００１２】
（本開示の一形態を得るに至った経緯）
図８は、特許文献１に開示されたＴＤＤ通信装置１の構成を示す模式図である。ＴＤＤ通信装置１は、送信部２、受信部３、及び空中線切替部４を備える。ＴＤＤ通信装置１は、空中線切替部４が空中線５と送信部２又は受信部３との接続を時系列により交互に切り替えることにより、同一の無線周波数を使用して送受信する。
【００１３】
送信タイミングでは、送信部２に入力されたＩＦ（Ｉｎｔｅｒｍｅｄｉａｔｅ  Ｆｒｅｑｕｎｃｙ）信号は、ローカル発振器６により生成されたローカル信号とミキサ７において混合され、所定の無線周波数に周波数変換される。ミキサ７により所定の無線周波数に変換された信号は、送信増幅部８により所定の電力に増幅され、空中線切替部４を介して空中線５から出力される。
【００１４】
受信タイミングでは、空中線５により受信された無線周波数信号は、空中線切替部４を介して受信部３に入力される。受信部３に入力された信号は、受信増幅部９により適当な（所定の）電力に増幅され、ローカル発振器１０により生成されたローカル信号とミキサ１１において混合され、ＩＦ信号に変換された後に復調される。
【００１５】
ＴＤＤ制御部１２は、送信タイミング及び受信タイミングに従って、空中線５の接続先を切り替える空中線切替部４を制御する。
【００１６】
図９は、特許文献２に開示された信号切替スイッチとしての空中線切替部２１の構成を示す回路図である。空中線切替部２１は、インピーダンス変換部２２、空中線接続端子２３、インピーダンス変換部２４、受信部接続端子２５、インピーダンス変換部２６、送信部接続端子２７、スイッチ素子２８，２９，３０，３１を備える。
【００１７】
インピーダンス変換部２２は、空中線接続端子２３から空中線を見たインピーダンスに対して、空中線切替部２１内部のインピーダンスが低くなるように、インピーダンス変換する。インピーダンス変換部２４は、受信部接続端子２５から受信部３を見たインピーダンスに対して、空中線切替部２１内部のインピーダンスが低くなるように、インピーダンス変換する。インピーダンス変換部２６は、送信部接続端子２７から送信部２を見たインピーダンスに対して、空中線切替部２１内部のインピーダンスが低くなるように、インピーダンス変換する。
【００１８】
送信タイミングでは、スイッチ素子２８がオフとなるように、制御電圧Ｖ１がスイッチ素子２８に供給される。また、スイッチ素子２９がショートとなるように、制御電圧Ｖ２がスイッチ素子２９に供給される。また、スイッチ素子３０がショートとなるように、制御電圧Ｖ３が供給される。また、スイッチ素子３１がオフとなるように、制御電圧Ｖ４が供給される。
【００１９】
受信タイミングでは、スイッチ素子２８がショートとなるように、制御電圧Ｖ１がスイッチ素子２８に供給される。また、スイッチ素子２９がオフとなるように、制御電圧Ｖ２がスイッチ素子２９に供給される。また、スイッチ素子３０がオフとなるように、制御電圧Ｖ３がスイッチ素子３０に供給される。スイッチ素子３１がショートとなるように、制御電圧Ｖ４がスイッチ素子３１に供給される。
【００２０】
しかし、特許文献１，２の技術では、ＴＤＤ通信装置に要求される送信電力が大きくなると、不都合が生じる。
【００２１】
空中線切替部には、許容耐電力の大きいスイッチ素子が必要となり、スイッチ素子の寄生容量が大きくなる。スイッチ素子の寄生容量は、スイッチ素子をオフしたときに迂回路として機能するので、スイッチ素子の寄生容量が大きくなると、空中線切替部を介した送信部と受信部との間のアイソレーションが低下する。
【００２２】
また、増幅部には出力電力の大きい増幅素子が使用されるので、増幅素子の寄生容量が大きくなる。増幅素子の寄生容量は、増幅素子への供給電圧を制御して増幅素子の増幅機能をオフした場合には、迂回路として機能する。そのため、増幅素子の寄生容量が大きくなると、受信タイミングにおける増幅部の利得低下幅が抑制され、送信タイミングと受信タイミングとにおける送信部２の利得変動幅が低下する。
【００２３】
受信タイミングには、送信部２から出力される無線周波数帯のノイズの電力が大きくなる。この場合、空中線切替部４における送信部２と受信部３との間のアイソレーションが不足すると、受信部３におけるＣＮ比（Ｃａｒｒｉｅｒ  ｔｏ  Ｎｏｉｓｅ  Ｒａｔｉｏ）が低下し、受信感度が低下する。
【００２４】
例えば、カバーエリアの大きい通信基地局では、瞬時最大送信電力が１００Ｗ以上に達し、増幅素子及びスイッチ素子の寄生容量が大きくなる。
【００２５】
以下、送信電力が大きい場合のＴＤＤ通信の通信品質を向上できる通信装置、通信基地局、及び制御方法について説明する。
【００２６】
（実施形態）
図１は、実施形態における通信基地局１０００の構成例を示すブロック図である。通信基地局１０００は、ＴＤＤ通信部８０１，８０２，８０３，８０４、ベースバンド（ＢＢ：ＢａｓｅＢａｎｄ）処理部８０５，８０６，８０７，８０８、及びＴＤＤ制御部８０９，８１０，８１１，８１２を備える。また、通信基地局１０００は、Ｉ／Ｆ（Ｉｎｔｅｒｆａｃｅ）部８１３，８１４，８１５，８１６、及び全体制御部８１７を備える。
通信基地局１０００は、ＴＤＤ通信を行うＴＤＤ通信装置の一例である。
【００２７】
通信基地局１０００は、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）又はＬＴＥ（Ｌｏｎｇ  Ｔｅｒｍ  Ｅｖｏｌｕｔｉｏｎ）のＴＤＤ方式を用いて通信する。
【００２８】
ＴＤＤ通信部８０１〜８０４は、同一の通信基地局１０００が管理する同一サービスエリア内に所在する多数の携帯端末からの通信要求に応えるため、各々同期して動作する。複数のＴＤＤ通信部８０１〜８０４を用いる場合でも、ＴＤＤ通信部８０１〜８０４の相互のアイソレーションを高く確保でき、並存性を向上できる。
【００２９】
ベースバンド処理部８０５〜８０８は、ＴＤＤ通信部８０１〜８０４により送信される送信信号又は受信される受信信号のベースバンド帯域における各種処理（例えば、変調処理、復調処理）を行う。
【００３０】
ＴＤＤ制御部８０９〜８１２は、ＴＤＤ通信するための各種処理を行う。例えば、ＴＤＤ制御部８０９〜８１２は、送信タイミング及び受信タイミングに従って、空中線５の接続先を切り替える空中線切替部を制御する。空中線切替部は、ＴＤＤ通信部８０１〜８０４に各々含まれる。また、ＴＤＤ制御部８０９〜８１１は、通信タイミングに従って、ＴＤＤ通信部８０１〜８０４に各々含まれる、増幅器の非線形特性を改善する後述の前置歪補償部の動作状態を制御する。
【００３１】
Ｉ／Ｆ部８１３〜８１６は、ベースバンド処理部８０５〜８０８と図示しない他の処理部との間におけるインタフェースであり、例えばハードウェアインタフェース又はソフトウェアインタフェースである。
【００３２】
全体制御部８１７は、通信基地局１０００全体の動作を統括する。
【００３３】
次に、ＴＤＤ通信部の詳細について説明する。
【００３４】
図２は、実施形態におけるＴＤＤ通信部１０１の構成例を示すブロック図である。ＴＤＤ通信部１０１は、例えば、図１におけるＴＤＤ通信部８０１〜８０４のいずれかに相当する。
【００３５】
ＴＤＤ通信部１０１は、送信部１０２、ＴＤＤ制御部１０５、受信部１０６、空中線切替部１０７、及び空中線５を備える。送信部１０２は、増幅部１０３及び前置歪補償部（ＰＤ：ＰｒｅＤｉｓｔｏｒｔｅｒ）１０４、ローカル発振器６、及びミキサ７を備える。
【００３６】
増幅部１０３は、送信タイミングにおいて電力効率を向上させ、ＴＤＤ通信部１０１の消費電力及び発熱を抑えるように設計される。増幅部１０３は、非線形素子（例えばトランジスタ）を含み、非線形特性を示す。増幅部１０３は、送信信号を増幅する第１の増幅部の一例である。送信部１０２の出力において、増幅部１０３の非線形特性により生じる歪を低減するよう、前置歪補償部１０４が歪補償する。
【００３７】
前置歪補償部１０４は、非線形素子（例えばダイオード又はトランジスタ）を含み、非線形素子により、増幅部１０３の非線形特性を打ち消す非線形特性（逆特性）を発生させる歪補償を行う。前置歪補償部１０４は、増幅部１０３の前段に配置される。
【００３８】
前置歪補償部１０４は、前置歪補償部１０４の非線形特性が、例えばトランジスタ（例えばＦＥＴ（Ｆｉｅｌｄ  Ｅｆｆｅｃｔ  Ｔｒａｎｓｉｓｔｏｒ））を使用した増幅部１０３の非線形特性を相殺するよう、回路設計される。増幅部１０３の非線形特性を相殺する前置歪補償部１０４の具体的な回路パラメータ（例えば閾値電圧、半導体サイズ、その他の特性値）は、増幅部１０３の回路パラメータに対応して定まり、例えば公知の設計技術により実現される。
【００３９】
ＴＤＤ制御部１０５は、送信タイミングでは、空中線切替部１０７における送信部１０２と空中線５との間の通過損失が最小、かつ、送信部１０２と受信部１０６との間の通過損失が最大となるように、空中線切替部１０７を制御する。ＴＤＤ制御部１０５は、通信タイミングに従い、前置歪補償部１０４を制御し、空中線切替部１０７による各種接続の切り替えを制御する制御部の一例である。
【００４０】
また、ＴＤＤ制御部１０５は、受信タイミングでは、空中線切替部１０７における空中線５と受信部１０６との間の通過損失が最小、かつ、送信部１０２と受信部１０６との間の通過損失が最大となるように、空中線切替部１０７を制御する。これにより、受信タイミングにおいて、送信部１０２において発生した無線周波数帯のノイズが、受信部１０６に漏洩して不具合（例えば受信感度の低下）を発生させることを抑制できる。
【００４１】
また、ＴＤＤ制御部１０５は、受信タイミングでは、前置歪補償部１０４における信号減衰量が最大となるよう、前置歪補償部１０４を制御する。前置歪補償部１０４は、例えば非線形素子（例えばダイオード）を利用して、信号減衰量を最大化する。
【００４２】
受信タイミングにおいて前置歪補償部１０４における信号減衰量を最大とすることにより、増幅部１０３における無線周波数帯のノイズの入力レベルを低減できる。従って、空中線切替部１０７を介して送信部１０２から受信部１０６に漏洩する無線周波数帯のノイズのレベルを低下させ、受信部１０６の感度劣化を抑制できる。
【００４３】
ＴＤＤ制御部１０５は、例えば、送信タイミングでは、増幅部１０３のＡＭ−ＡＭ特性及びＡＭ−ＰＭ特性の少なくとも一方の非線形特性を打ち消すよう、前置歪補償部１０４のＡＭ−ＡＭ特性及びＡＭ−ＰＭ特性の少なくとも一方の非線形特性を制御する。ＡＭ−ＡＭ（Ａｍｐｌｉｔｕｄｅ  Ｍｏｄｕｌａｔｉｏｎ−Ａｍｐｌｉｔｕｄｅ  Ｍｏｄｕｌａｔｉｏｎ）特性は、入力信号の振幅に対する出力信号の振幅の特性を示し、振幅成分の歪特性を示す指標の１つである。ＡＭ−ＰＭ（Ａｍｐｌｉｔｕｄｅ  Ｍｏｄｕｌａｔｉｏｎ−Ｐｈａｓｅ  Ｍｏｄｕｌａｔｉｏｎ）特性は、入力信号の振幅に対する入力信号及び出力信号の位相差の特性を示し、位相成分の歪特性を示す指標の１つである。また、ＴＤＤ制御部１０５は、例えば、受信タイミングでは、増幅部１０３の利得が低下するよう、前置歪補償部１０４を制御する。
【００４４】
なお、ＴＤＤ制御部１０５は、送信タイミングでは受信部１０６の機能の少なくとも一部を停止し、受信タイミングでは送信部１０２の機能の少なくとも一部を停止してもよい。これにより、ＴＤＤ通信部１０１の消費電力を低減できる。また、この場合、ＴＤＤ制御部１０５は、受信タイミングにおいて増幅部１０３の機能を停止してもよい。従って、受信タイミングにおける送信部１０２の消費電力を削減し、受信タイミングにおける送信部１０２が出力する無線周波数帯のノイズのレベルを一層低減できる。
【００４５】
受信部１０６は、先に説明した図８の受信部３と同様の構成であるので、詳細な説明を省略する。受信部１０６は、例えば、空中線５により受信された無線信号を復調する。
【００４６】
空中線切替部１０７は、先に説明した図８の空中線切替部４と同様の機能を有する。空中線切替部１０７は、ＴＤＤ制御部１０５による制御に従い、空中線５と送信部１０２との接続、又は空中線５と受信部１０６との接続、を切り替える。送受を切り替えて高速に通信を行うシステムでは、一回当たりの送信タイミング及び一回当たりの受信タイミングが短時間に設計され、短時間に送信又は受信を切替えることが要求される。空中線切替部１０７には、例えば耐久性に優れ、かつ、高速切替動作が可能な半導体が使用される。高速切替動作が可能な半導体には、例えば、ＰＩＮ（ｐ−ｉｎｔｒｉｎｓｉｃ−ｎ）ダイオード、又はＦＥＴ（Ｆｉｅｌｄ  Ｅｆｆｅｃｔ  Ｔｒａｎｓｉｓｔｏｒ））が含まれる。
【００４７】
空中線５は、アンテナであり、送信信号を送信し、又は受信信号を受信する。
【００４８】
このように、ＴＤＤ通信部１０１は、送信タイミングにおいて増幅部１０３により発生する歪を抑圧する前置歪補償部１０４を、受信タイミングにおいて減衰部として機能するように制御する。これにより、送信部１０２に無線周波数帯において動作するスイッチを追加せず、受信タイミングにおいて、送信部１０２から出力される無線周波数帯のノイズにより、受信部１０６の感度が低下することを抑制できる。
【００４９】
図３は、ＴＤＤ通信部１０１の構成の変形例を示すブロック図である。図３に示すＴＤＤ通信部１０１Ｂは、送信部１０２Ｂを含む。送信部１０２Ｂは、増幅部１０３、前置歪補償部１０４、前置増幅部１０８、ローカル発振器６、及びミキサ７を含む。このように、前置歪補償部１０４の前段に前置増幅部１０８を設けても良い。
【００５０】
また、前置増幅部１０８の消費電力が小さい場合、前置増幅部１０８は、受信タイミングにおいても増幅機能を停止しなくて良い。前置増幅部１０８の消費電力が小さい場合とは、例えば、前置増幅部１０８の消費電力が、前置増幅部１０８の増幅機能を送受タイミングに応じてオンオフするために要する電力以下である場合である。前置増幅部１０８は、前置歪補償部１０４の前段に配置される。前置増幅部１０８は、前置増幅部１０８に入力された信号を増幅する第２の増幅部の一例である。
【００５１】
次に、ＴＤＤ通信部１０１Ｂの各部における電力レベルの変化例について説明する。
図４は、ＴＤＤ通信部１０１Ｂの信号レベルのレベルダイヤの一例を示す模式図である。
【００５２】
送信タイミングでは、前置増幅部１０８は、送信信号ａの信号レベルを適切な（所定の）レベルまで増幅し、前置歪補償部１０４に出力する。ここでの適切なレベルとは、前置歪補償部１０４において、増幅部１０３により発生する歪みを相殺可能なレベルである。これにより、前置歪補償部１０４は、増幅部１０３により発生する歪を抑圧する歪信号を生成できる。前置歪補償部１０４により歪信号を印加された送信信号ａは、増幅部１０３により所定のレベルまで増幅され、空中線切替部１０７を経由して、空中線５から出力される。この所定のレベルは、ＴＤＤ通信部１０１Ｂの仕様により決定される大出力である。
【００５３】
受信タイミングでは、送信部１０２Ｂに対して漏洩するノイズ信号ｂは、前置増幅部１０８により増幅される。一方、ノイズ信号ｂは、ＴＤＤ制御部１０５の制御により、前置歪補償部１０４、増幅部１０３、及び空中線切替部１０７において減衰され、受信部１０６に漏洩する。前置歪補償部１０４、増幅部１０３、及び空中線切替部１０７における減衰では、ノイズ信号ｂの電力レベルが例えば熱雑音ｄ以下まで減衰される。従って、受信部１０６に漏洩したノイズ信号ｂによる受信部１０６の感度への影響を抑制できる。
【００５４】
なお、図４に示すように、従来のＴＤＤ通信部の構成では、受信タイミングにおいて送信部に漏洩したノイズ信号ｃを、受信部の入力において熱雑音ｄ以下の電力レベルまで減衰できなかった。そのため、受信感度が劣化していた。
【００５５】
このように、ＴＤＤ通信部１０１Ｂでは、前置歪補償部１０４の前段に前置増幅部１０８が配置される。これにより、送信タイミングにおいて、前置歪補償部１０４は適切な信号レベルの送信信号を入力できる。また、受信タイミングにおいて前置増幅部１０８の機能を停止しない場合でも、ＴＤＤ通信部１０１Ｂの送信部１０２Ｂに無線周波数帯において動作するスイッチを追加しなくてよい。この場合でも、受信タイミングにおいて、送信部１０２Ｂから出力される無線周波数帯のノイズにより受信部１０６の感度が低下することを抑制できる。
【００５６】
次に、前置歪補償部１０４の詳細について説明する。以下では、前置歪補償部１０４として、前置歪補償部１０４Ａ，１０４Ｂの２つを例示する。
【００５７】
図５は、前置歪補償部１０４Ａの構成例を示す回路図である。前置歪補償部１０４Ａは、入力端子１１２、出力端子１１３、ダイオード１１４、電圧切替スイッチ１１５、コンデンサ１１６，１１７，１１８、及び抵抗１１９を含む。ダイオード１１４は、非線形素子の一例であり、他の非線形素子（例えばトランジスタ）でもよい。
【００５８】
送信タイミングでは、送信信号は、前置歪補償部１０４Ａの入力端子１１２に入力され、歪信号が付加された後、前置歪補償部１０４Ａの出力端子１１３から出力される。歪信号は、前置歪補償部１０４Ａの後段に配置された増幅部１０３により発生する歪を抑圧する信号である。送信タイミングでは、歪信号は、送信信号が通過する経路Ｒ１に対して直列に挿入されたダイオード１１４により生成される。図５では、送信信号が通過する経路Ｒ１は、入力端子１１２と出力端子１１３との間の直列的な経路である。
【００５９】
一方、受信タイミングでは、ダイオード１１４がオフ状態となるように、ＴＤＤ制御部１０５の指示に従って、ダイオード１１４に対して電圧切替スイッチ１１５を介して逆バイアスが供給される。これにより、受信タイミングでは、ダイオード１１４がオフスイッチとして機能し、前置歪補償部１０４における無線周波数帯の信号減衰量を大きくできる。
【００６０】
電圧切替スイッチ１１５は、送信タイミングでは、ダイオード１１４が非線形領域において動作する電圧Ｖ５を出力するよう切り替え、受信タイミングでは、ダイオード１１４がオフ状態となる電圧Ｖ６を出力するよう切り替える。電圧切替スイッチ１１５は、例えば半導体スイッチであり、ＴＤＤ制御部１０５により制御される。また、図１に示した空中線切替部１０７のスイッチ切り替えと電圧切替スイッチ１１５のスイッチ切り替えとは同期し、連動する。電圧Ｖ５は第１の電圧の一例あり、電圧Ｖ６は第２の電圧の一例である。
【００６１】
前置歪補償部１０４から出力される無線周波数帯の電力は、増幅部１０３から出力される無線周波数帯の電力よりも小さい。従って、許容耐電力の小さい半導体素子を使用できるので、電圧切替スイッチ１１５の寄生容量を小さくできる。従って、ＴＤＤ通信方式のように送受信が頻繁に切り替わる通信方式である場合でも、送信部１０２，１０２Ｂ及び受信部１０６のアイソレーションを確保できる。
【００６２】
電圧切替スイッチ１１５は、ＤＣ電圧を切り替える。コンデンサ１１６，１１７は、前置歪補償部１０４Ａ内部と前置歪補償部１０４外部とにおけるＤＣ（Ｄｉｒｅｃｔ  Ｃｕｒｒｅｎｔ：直流）電圧成分を遮断するＤＣカットコンデンサとして機能する。
【００６３】
コンデンサ１１８は、抵抗１１９とともにＬＰＦ（Ｌｏｗ  Ｐａｓｓ  Ｆｉｌｔｅｒ）を形成する。これにより、電圧切替部１１５に高周波信号が入力されることを防止する。また、コンデンサ１１８は、無線周波数帯において低インピーダンスであり、無線周波数帯においてグランドとして動作する高周波ＧＮＤを形成するパスコンデンサとして機能する。つまり、コンデンサ１１８は、電圧切り替えによる充放電時間を短縮するよう、無線周波数帯においてショート状態となる程度の容量を有する。
【００６４】
抵抗１１９及びインダクタ１２０は、抵抗値及びインダクタンスが所定の値に設定されることにより、送信タイミングにおいてダイオード１１４に流れる電流を調整し、送信タイミング及び受信タイミングにおいてダイオード１１４の端子間電圧を調整する。電圧及び電流が調整された結果、例えば受信タイミングでは、ダイオード１１４がオフ状態となるよう、ダイオード１１４に逆バイアスが印加される。また、例えば送信タイミングでは、ダイオード１１４の非線形領域における順バイアスがダイオード１１４に印加される。ダイオードの非線形領域とは、ダイオードの閾値電圧付近において、順方向電圧Ｖｆと順方向電流Ｉｆとの特性（Ｖｆ−Ｉｆ特性）が非線形な特性を示す領域である。これにより、歪信号の歪み量を調整でき、増幅部１０３の非線形素子の特性に応じて歪補償できる。
【００６５】
前置歪補償部１０４Ａは、例えば、電圧Ｖ６として負電圧を供給する。これにより、前置歪補償部１０４Ａを設計できる。
【００６６】
また、前置歪補償部１０４では、インダクタ１２０の接地側にパスコンデンサを配置することにより、パスコンデンサを高周波ＧＮＤとして動作させ、適当なＤＣ電圧（例えば電圧Ｖ５，Ｖ６）が印加されてもよい。この場合、インダクタ１２０に印加される電圧よりも高いＤＣ電圧を電圧Ｖ５とし、インダクタ１２０に印加される電圧よりも低いＤＣ電圧を電圧Ｖ６とする。これにより、負電圧源を使用することなく、前置歪補償部１０４Ａを設計できる。
【００６７】
このように、前置歪補償部１０４Ａでは、送信信号の通過経路Ｒ１に対して、直列にダイオード１１４が配置される。また、ＴＤＤ制御部１０５の指示により、送信タイミングではダイオード１１４が非線形領域において動作する電圧をダイオード１１４に供給し、受信タイミングではダイオード１１４がオフ状態となる電圧をダイオード１１４に供給する。
【００６８】
図６は、前置歪補償部１０４Ｂの構成例を示す回路図である。前置歪補償部１０４Ｂは、入力端子１１２、出力端子１１３、電圧切替スイッチ１１５、コンデンサ１１６，１１７，１１８、抵抗１１９、インダクタ１２０、及びダイオード１２２を含む。ダイオード１２２は、非線形素子の一例であり、他の非線形素子（例えばトランジスタ）でもよい。
【００６９】
送信タイミングでは、前置歪補償部１０４Ｂにおいて送信信号に対して付加される歪信号は、送信信号が通過する経路Ｒ２と、コンデンサ１１８により形成される高周波ＧＮＤと、の間に挿入されたダイオード１２２により生成される。
【００７０】
受信タイミングでは、ＴＤＤ制御部１０５の指示により、ダイオード１２２に対してショート状態となる順バイアスが供給される。これにより、前置歪補償部１０４Ｂにおける無線周波数帯の信号減衰量を増大できる。
【００７１】
電圧切替スイッチ１１５は、送信タイミングではダイオード１２２が非線形領域において動作する電圧Ｖ７を出力するよう切り替え、受信タイミングではダイオード１２２がショート状態となる電圧Ｖ８を出力するよう切り替える。電圧切替スイッチ１１５は、例えば半導体スイッチであり、ＴＤＤ制御部１０５により制御される。電圧Ｖ７は第３の電圧の一例であり、電圧Ｖ８は第４の電圧の一例である。
【００７２】
抵抗１１９及びインダクタ１２０は、抵抗値及びインダクタンスが所定の値に設定されることにより、受信タイミングではダイオード１２２に流れる電流を調整し、送信タイミング及び受信タイミングではダイオード１２２の端子間電圧を調整する。電圧及び電流が調整された結果、例えば受信タイミングでは、ダイオード１２２がショート状態となるよう、ダイオード１２２に順バイアスが印加される。また、例えば送信タイミングでは、ダイオード１２２の非線形領域における順バイアスがダイオード１２２に印加される。ダイオードがショート状態となる電圧とは、例えば、ダイオードのＩＶ特性における傾き一定の領域である。これにより、歪信号の歪み量を調整でき、増幅部１０３の非線形素子の特性に応じて歪補償できる。
【００７３】
また、前置歪補償部１０４Ｂは、インダクタ１２０の接地側にパスコンデンサを配置することにより、パスコンデンサを高周波ＧＮＤとして動作させ、適当なＤＣ電圧を印加してもよい。この場合、電圧Ｖ７、電圧Ｖ８はインダクタ１２０の接地側に印加したＤＣ電圧の分高い電圧に設定できるため、負電源を使用することなく、電圧切替スイッチ１１５のヘッドルーム電圧を大きくすることが可能となる。なお、ここでの所定のＤＣ電圧は、電圧Ｖ７，Ｖ８を所定電圧分高くすることが目的であり、例えば、ＴＤＤ通信部１０１Ｂが動作するためのＤＣ電圧の３０％〜５０％程度の電圧である。
【００７４】
このように、前置歪補償部１０４Ｂでは、送信信号の通過経路Ｒ２とコンデンサ１１８により形成される高周波ＧＮＤとの間に、ダイオード１２２が配置される。また、ＴＤＤ制御部１０５が、送信タイミングではダイオード１２２の非線形領域を利用して歪補償する電圧をダイオード１２２に供給し、受信タイミングではダイオード１２２がショート状態となる電圧をダイオード１２２に供給する。
【００７５】
前置歪補償部１０４Ａ，１０４Ｂによれば、送信部１０２，１０２Ｂに無線周波数帯において動作するスイッチを追加しなくてもよい。この場合でも、受信タイミングにおいて、送信部１０２，１０２Ｂから出力される無線周波数帯のノイズにより受信部１０６の感度が低下することを抑制できる。
【００７６】
また、送信部１０２，１０２Ｂの送信電力が大きくなる程、増幅部１０３の半導体サイズ（例えば半導体素子の並列数）が増大し、寄生容量が増大する。この場合でも、前置歪補償部１０４Ａ，１０４Ｂは、増幅部１０３による信号増幅前であるので、前置歪補償部１０４Ａ，１０４Ｂにおける電力は、送信電力よりも小さい。従って、前置歪補償部１０４Ａ，１０４Ｂにおける半導体部品に発生する寄生容量は小さくなり、受信タイミングにおいて十分な減衰量を確保することで、送信部１０２，１０２Ｂ及び受信部１０６のアイソレーションを確保し、受信感度の低下を抑制できる。
【００７７】
また、送信部１０２，１０２Ｂの出力にスイッチの追加が不要なので、送信効率を向上し、部品点数を削減できる。
【００７８】
また、通信周波数帯が高周波帯である場合、送信部１０２，１０２Ｂを構成する半導体の寄生容量の影響が更に大きくなる。この場合でも、送信部１０２，１０２Ｂ及び受信部１０６のアイソレーションを確保し、受信感度の低下を抑制できる。
【００７９】
また、増幅部１０３のバイアス電圧を変化させてアイソレーションを確保する場合、増幅部１０３では大電力が使用されるので、寄生容量が大きくなる。これに対し、前置歪補償部１０４Ａ，１０４Ｂによれば、増幅部１０３よりも小電力であり、寄生容量が小さくなるので、増幅部１０３において対応する場合よりも受信感度の低下を抑制できる。
【００８０】
図７は、ダイオード１１４，１２２のＩＶ特性上における各状態の一例を示す模式図である。図７では、オフ状態となる電圧範囲、非線形領域の電圧範囲、ショート状態となる電圧範囲の一例が示されている。
【００８１】
オフ状態となる電圧範囲は、ダイオード１１４，１２２にほぼ電流が流れない（略０Ａ）電圧の範囲である。非線形領域の電圧範囲は、ダイオード１１４，１２２の閾値電圧Ｖｔｈ付近において、ＩＶ特性が非線形な特性を示す電圧の範囲である。非線形領域の電圧範囲は、前置歪補償部１０４，１０４Ｂに入力される信号のレベルに応じて設定される。ショート状態となる電圧範囲は、図７におけるＩＶ特性の傾きが略一定となる範囲であり、例えば急峻な傾きが好ましい。ダイオード１１４，１２２の動作点は、バイアス電圧により調整される。
【００８２】
このように、通信基地局１０００は、増幅部１０３の前段に配置され、増幅部１０３が増幅動作実行中には増幅部１０３の非線形特性を改善し、増幅部１０３が増幅動作停止中には減衰器として動作する前置歪補償部１０４を備える。例えば、前置歪補償部１０４は、ＴＤＤ制御部１０５の指示に従い、送信タイミングでは増幅部１０３の非線形特性を相殺し、受信タイミングでは送信部１０２の利得を低下させる。
【００８３】
通信基地局１０００によれば、送信電力が大きい場合でも、空中線切替部１０７における送信部１０２，１０２Ｂと受信部１０６との間のアイソレーション低下を抑制できる。従って、受信タイミングにおける受信感度の低下を抑制でき、送信タイミングにおける送信特性の低下を抑制できる。よって、送信電力が大きい場合のＴＤＤ通信の通信品質を向上できる。
【００８４】
また、寄生容量の影響がより顕著に現れる例えば１ＧＨｚ以上の通信周波数帯域を用いてＴＤＤ通信する場合でも、前置歪補償部１０４を設けることにより、同様に、ＴＤＤ通信の品質を向上できる。
【００８５】
本開示は、上記実施形態の構成に限られるものではなく、特許請求の範囲で示した機能、または本実施形態の構成が持つ機能が達成できる構成であれば、どのようなものであっても適用可能である。
【００８６】
上記実施形態では、通信装置が通信基地局である場合を例示したが、他の通信装置（例えば中継装置）にも適用可能である。
【００８７】
上記実施形態では、本開示をハードウェアで構成する場合を例にとって説明したが、本開示はハードウェアとの連携においてソフトウェアでも実現することも可能である。
【００８８】
また、上記実施形態の説明に用いた各機能ブロックは、典型的には、ディスクリート構成の個別半導体により実現される。また、集積回路であるＬＳＩとして実現されることもありえる。更に、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００８９】
（本開示の一形態の概要）
本開示の第１の通信装置は、
時分割複信方式により通信する通信装置であって、
送信信号を増幅する第１の増幅部と、前記第１の増幅部の前段に配置された前置歪補償部と、を含む送信部と、
空中線により受信された無線信号を復調する受信部と、
前記空中線及び前記送信部の接続と前記空中線及び前記受信部の接続とを切り替える空中線切替部と、
通信タイミングに応じて、前記前置歪補償部と前記空中線切替部による接続の切り替えとを制御する制御部と、
を備え、
前記制御部は、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する。
【００９０】
本開示の第２の通信装置は、第１の通信装置であって、
前記前置歪補償部では、前記送信信号の通過経路に対して直列に非線形素子が配置され、
前記制御部は、前記送信タイミングでは、前記非線形素子が非線形領域において動作する第１の電圧を前記非線形素子に供給し、前記受信タイミングでは、前記非線形素子がオフ状態となる第２の電圧を前記非線形素子に供給するよう制御する。
【００９１】
本開示の第３の通信装置は、第１の通信装置であって、
前記前置歪補償部では、前記送信信号の通過経路とバイパスコンデンサとの間に、非線形素子が配置され、
前記制御部は、前記送信タイミングでは、前記非線形素子が非線形領域において動作する第３の電圧を前記非線形素子に供給し、前記受信タイミングでは、前記非線形素子がショート状態となる第４の電圧を前記非線形素子に供給するよう制御する。
【００９２】
本開示の第４の通信装置は、第１ないし第３のいずれか１つの通信装置であって、
前記送信部は、前記前置歪補償部の前段に配置され、入力された信号を増幅する第２の増幅部を備える。
【００９３】
本開示の第５の通信基地局は、
時分割複信方式により通信する通信基地局であって、
送信信号を増幅する第１の増幅部と、前記第１の増幅部の前段に配置された前置歪補償部と、を含む送信部と、
空中線により受信された無線信号を復調する受信部と、
前記空中線及び前記送信部の接続と前記空中線及び前記受信部の接続とを切り替える空中線切替部と、
通信タイミングに応じて、前記前置歪補償部と前記空中線切替部による接続の切り替えとを制御する制御部と、
を備え、
前記制御部は、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する。
【００９４】
本開示の第６の通信基地局は、第５の通信基地局であって、
前記前置歪補償部では、前記送信信号の通過経路に対して直列に非線形素子が配置され、
前記制御部は、前記送信タイミングでは、前記非線形素子が非線形領域において動作する第１の電圧を前記非線形素子に供給し、前記受信タイミングでは、前記非線形素子がオフ状態となる第２の電圧を前記非線形素子に供給するよう制御する。
【００９５】
本開示の第７の通信基地局は、第５の通信基地局であって、
前記前置歪補償部では、前記送信信号の通過経路とバイパスコンデンサとの間に、非線形素子が配置され、
前記制御部は、前記送信タイミングでは、前記非線形素子が非線形領域において動作する第３の電圧を前記非線形素子に供給し、前記受信タイミングでは、前記非線形素子がショート状態となる第４の電圧を前記非線形素子に供給するよう制御する。
【００９６】
本開示の第８の通信基地局は、第５ないし第７のいずれか１つの通信基地局であって、
前記送信部は、前記前置歪補償部の前段に配置され、入力された信号を増幅する第２の増幅部を備える。
【００９７】
本開示の第９の制御方法は、
時分割複信方式により通信する通信装置における制御方法であって、
送信部の第１の増幅部により送信信号を増幅する第１の増幅ステップと、前記送信部の前置歪補償部により前記増幅前に前記送信信号に対して歪補償する歪補償ステップと、を含む送信ステップと、
受信部により、空中線により受信された無線信号を復調する受信ステップと、
空中線及び前記送信部の接続と前記空中線及び前記受信部の接続とを切り替える切替ステップと、
通信タイミングに応じて、前記歪補償ステップにおける動作と前記切替ステップにおける接続の切り替えとを制御する制御ステップと、
を有し、
前記制御ステップでは、送信タイミングでは前記第１の増幅部における利得成分及び位相成分の少なくとも一方の非線形特性を打ち消すよう、前記前置歪補償部における利得成分及び位相成分の少なくとも一方の非線形特性を制御し、受信タイミングでは前記第１の増幅部の利得が低下するよう、前記前置歪補償部を制御する。
【００９８】
本開示の第１０の制御方法は、第９の制御方法であって、
前記前置歪補償部では、前記送信信号の通過経路に対して直列に非線形素子が配置され、
前記制御ステップでは、前記送信タイミングにおいて、前記非線形素子が非線形領域において動作する第１の電圧を前記非線形素子に供給し、前記受信タイミングにおいて、前記非線形素子がオフ状態となる第２の電圧を前記非線形素子に供給するよう制御する。
【００９９】
本開示の第１１の制御方法は、第９の制御方法であって、
前記前置歪補償部では、前記送信信号の通過経路とバイパスコンデンサとの間に、非線形素子が配置され、
前記制御ステップでは、前記送信タイミングにおいて、前記非線形素子が非線形領域において動作する第３の電圧を前記非線形素子に供給し、前記受信タイミングにおいて、前記非線形素子がショート状態となる第４の電圧を前記非線形素子に供給するよう制御する。
【０１００】
本開示の第１２の制御方法は、第９ないし第１１のいずれか１つの制御方法であって、
前記送信ステップは、前記前置歪補償部の前段に配置された第２の増幅部に入力された信号を増幅する第２の増幅ステップを有する。
【産業上の利用可能性】
【０１０１】
本発明は、送信電力が大きい場合のＴＤＤ通信の通信品質を向上できる通信装置、通信基地局、及び制御方法等に有用である。例えば、ＴＤＤ方式を採用した移動通信システムにおける通信装置に適用できる。
【符号の説明】
【０１０２】
５  空中線
６  ローカル発振器
７  ミキサ
１０１，１０１Ｂ  ＴＤＤ通信部
１０２，１０２Ｂ  送信部
１０３  増幅部
１０４，１０４Ａ，１０４Ｂ  前置歪補償部
１０５  ＴＤＤ制御部
１０６  受信部
１０７  空中線切替部
１０８  前置増幅部
１１２  入力端子
１１３  出力端子
１１４，１２２  ダイオード
１１５  電圧切替スイッチ
１１６，１１７，１１８  コンデンサ
１１９  抵抗
１２０  インダクタ
８０１，８０２，８０３，８０４  ＴＤＤ通信部
８０５，８０６，８０７，８０８  ＢＢ処理部
８０９，８１０，８１１，８１２  ＴＤＤ制御部
８１３，８１４，８１５，８１６  Ｉ／Ｆ部
８１７  全体制御部
１０００  通信基地局
【図１】
2014204372.tif 000003
【図２】
2014204372.tif 000004
【図３】
2014204372.tif 000005
【図４】
2014204372.tif 000006
【図５】
2014204372.tif 000007
【図６】
2014204372.tif 000008
【図７】
2014204372.tif 000009
【図８】
2014204372.tif 000010
【図９】
2014204372.tif 000011